(57)【要約】【課題】  高い器具効率を実現できる導光体、およびそれを用いた照明装置を提供する。【解決手段】  実施形態の導光体は、入射面と、前記入射面に対向する反射面と、を有する導入部と、前記反射面側に設けられた第１の面と、前記入射面側に設けられ前記第１の面と対向する第２の面と、を有する拡散部と、前記反射面と前記第１の面との境界に位置した第１の点と、前記入射面上の第２の点と、を備え、前記第１の点における前記第１の面の曲率中心を第３の点とし、前記導光体の屈折率をｎとし、前記第１の点における前記第１の面の曲率をＫとし、前記第２の点と前記第３の点との距離をＤとすると、第１実施形態に記載した式（４）を満たす。【選択図】図１
2015179579.tif 000002
【特許請求の範囲】
【請求項１】
光を導光する導光体であって、
入射面と、前記入射面に対向する反射面と、を有する導入部と、
前記反射面側に設けられた第１の面と、前記入射面側に設けられ前記第１の面と対向する第２の面と、を有する拡散部と、
前記反射面と前記第１の面との境界に位置した第１の点と、
前記入射面上の第２の点と、
を備え、
前記第１の点における前記第１の面の曲率中心を第３の点とし、
前記導光体の屈折率をｎとし、
前記第１の点における前記第１の面の曲率をＫとし、
前記第２の点と前記第３の点との距離をＤとすると、
【数１】
2015179579.tif 000013
である導光体。
【請求項２】
前記入射面を含む面は、前記反射面および前記第１の点のいずれかと交わる請求項１に記載の導光体。
【請求項３】
前記第１の点と前記第２の点の距離をＥとし、
前記第１の点と前記第２の点の成す線分と、前記第１の点における前記第１の面に対する法線とのなす角をαとすると、
【数２】
2015179579.tif 000014
である請求項２に記載の導光体。
【請求項４】
【数３】
2015179579.tif 000015
である請求項３に記載の導光体。
【請求項５】
【数４】
2015179579.tif 000016
である請求項４に記載の導光体。  
【請求項６】
前記反射面における点を第４の点とすると、
前記第２の点と前記第４の点の成す線分と、前記第４の点における前記第１の面に対する法線との成す角βが、
【数５】
2015179579.tif 000017
である請求項５に記載の導光体。
【請求項７】
前記入射面を含む面は、前記第１の点と交わる請求項６に記載の導光体。
【請求項８】
請求項７に記載の導光体と、
前記入射面に対向して設けられ、前記入射面に沿って延びる板状をなした複数のＬＥＤと、
を備え、
前記第２の点は、前記複数のＬＥＤのそれぞれの前記拡散部側の端部の近傍に位置する照明装置。
【請求項９】
前記導光体は、中心軸に沿って延びる貫通孔部を有した請求項８に記載の照明装置。
【請求項１０】
前記導入部は、前記中心軸寄りに配置され、前記拡散部は、前記導入部よりも前記中心軸から遠い位置に配置される請求項９に記載の照明装置。
【請求項１１】
前記複数のＬＥＤは、前記中心軸に近づく方向に光を発し、
前記導光体は、前記複数のＬＥＤからの光を前記中心軸から遠ざかる方向に導光する請求項１０に記載の照明装置。
【請求項１２】
前記拡散部は、中心軸寄りに配置され、前記導入部は、前記拡散部よりも前記中心軸から遠い位置に配置される請求項８に記載の照明装置。
【請求項１３】
前記複数のＬＥＤは、前記中心軸から遠ざかる方向に光を発し、
前記導光体は、前記複数のＬＥＤからの光を前記中心軸に近づく方向に導光する請求項１２に記載の照明装置。
【請求項１４】
前記反射面に対向して設けられる口金を備え、
前記複数のＬＥＤは、前記口金のある側に光を発し、
前記導光体は、前記複数のＬＥＤからの光を前記口金から遠ざかる方向に導光する請求項８に記載の照明装置。
【発明の詳細な説明】
【技術分野】
【０００１】
本発明の実施形態は、光を導光する導光体、およびそれを用いた照明装置に関する。
【背景技術】
【０００２】
ＬＥＤ照明において、ＬＥＤからの光を導光体内部に導光させるのと同時に、導光体に備えられた拡散体によって拡散させ、外部に射出する方式のものがある。特に、導光体に曲面形状を設ければ、デザイン照明として付加価値を高められる。また、曲面は、局所的な領域においてはＲ形状で近似できる。
【０００３】
導光体がＲ形状を有する場合の例として、たとえば、特許文献１がある。特許文献１では、ＬＥＤを光源とし、光源からの光を金属のリフレクタを用いて導光体に導く。このような構造により、ＬＥＤからの直接光をリフレクタで遮ることが可能となる。そのため、直接光の眩しさを低減することができる。しかし、金属のリフレクタは、１回の反射で光を１０％程度吸収してしまう。そのため、器具効率の低下につながる。
【先行技術文献】
【特許文献】
【０００４】
【特許文献１】米国特許出願公開第２０１２／０１３９４０３号明細書
【発明の概要】
【発明が解決しようとする課題】
【０００５】
高い器具効率を実現できる導光体、およびそれを用いた照明装置を提供する。
【課題を解決するための手段】
【０００６】
実施形態の導光体は、光を導光する導光体であって、入射面と、前記入射面に対向する反射面と、を有する導光部と、前記反射面側に設けられた第１の面と、前記入射面側に設けられ前記第１の面と対向する第２の面と、を有する拡散部と、前記反射面と前記第１の面との境界に位置した第１の点と、前記入射面上の第２の点と、前記第１の点における第１の面の曲率中心である第３の点と、を備え、前記導光体の屈折率をｎとし、前記第１の面の曲率をＫとし、前記第２の点と前記第３の点の距離をＤとすると、  
【数１】
2015179579.tif 000003
である。
【図面の簡単な説明】
【０００７】
【図１】第１実施形態の照明装置を模式的に示した断面図。
【図２】図１に示す照明装置を斜め上方から示した斜視図。
【図３】図１に示す照明装置の導光体において、式（５）を示したグラフ。
【図４】図３に示す曲線の実線部分に対応する第１の点、第２の点、第３の点の位置関係を示した模式図。
【図５】図３に示す曲線の破線部分に対応する第１の点、第２の点、第３の点の位置関係を示した模式図。
【図６】第２実施形態の照明装置を模式的に示した断面図。
【図７】第３実施形態の照明装置を模式的に示した断面図。
【図８】第３実施形態の照明装置の導光体の変形例を示した斜視図。
【図９】第４実施形態の照明装置を模式的に示した断面図。
【発明を実施するための形態】
【０００８】
[第１実施形態]
以下に、図１から図５を参照して、照明装置の第１実施形態について説明する。第１実施形態の照明装置１１は、例えば天井の表面に据え付けられて使用されるか或いは天井に設けた窪みの内側に設置される。
【０００９】
図１、図２に示すように、照明装置１１は、光源１２と、光源１２からの光を内部に通して導光する導光体１３と、光源１２に電力を供給する電源回路基板１４と、を備えている。
【００１０】
光源１２は、基板１５（プリント配線板）と、基板１５上に設置された複数のＬＥＤ１６（発光素子）と、を有する。複数のＬＥＤ１６は、例えば、同一直線上に一定の間隔を置いて配置されている。ＬＥＤ１６と導光体１３の入射面２３との間には、若干の隙間（例えば、０．５ｍｍ程度）が設けられている。ただし、隙間はこれに限らない。ＬＥＤ１６は、板状をなしており、入射面２３に沿って延びている。ＬＥＤ１６は、拡散部２２側の第１端部１６Ａと、第１端部１６Ａとは反対側にある第２端部１６Ｂと、を有している。
【００１１】
導光体１３は、図１に示す形状をなした型を用いた押出成形によって、図２に示すような折れ曲がった板状に形成される。導光体１３は、光源１２から光が入射される導入部２１と、導入部２１と接続される拡散部２２と、を有している。導入部２１および拡散部２２を含む導光体１３は、例えばアクリル等の透明な材料（透光性のある材料）によって一体的に成形されている。導光体１３の材料としては、アクリルに限定されるものではなく、ポリカーボネートやガラス等であってもよい。導光体１３をアクリルで形成した場合、屈折率ｎは、１．４９である。
【００１２】
図１、図２に示すように、導入部２１は、光源１２（ＬＥＤ１６）と対向する入射面２３と、入射面２３と接続されるとともに入射面２３と対向する反射面２４と、を有している。同様に、拡散部２２は、反射面２４側に位置した第１の面２５と、第１の面２５と対向するとともに入射面２３側に位置した第２の面２６と、を有する。第１の面２５は、光を外界に射出するためのいわゆる射出面であり、例えば、鏡面仕上げを施して形成される。第２の面２６は、導入部２１側から導光された光を射出面（第１の面２５）に向けて拡散的に反射するいわゆる拡散面である。第２の面２６には、例えばサンドブラスト等によって表面粗さを粗くするように表面処理が施される。なお、第２の面２６の構成は、これに限定されるものではなく、第２の面２６に対して例えばシルク印刷等によって白色のドットを印刷して、射出面に対して拡散的に光を反射するようにしてもよい。
【００１３】
図１に示すように、導光体１３は、反射面２４と第１の面２５との境界に位置した第１の点３１と、入射面２３上で光源１２（ＬＥＤ１６）と対向した箇所に位置した第２の点３２と、を有する。第２の点３２は、第１端部１６Ａの近傍に位置している。照明装置１１は、さらに、第１の点３１における（第１の点３１の近傍における）第１の面２５の曲率中心としての第３の点３３を有する。
【００１４】
導入部２１の入射面は、ＬＥＤ１６（発光素子）の表面に沿うように、平滑に形成されている。入射面を含む面２３Ａは、第１の点３１と交わっている。なお、入射面を含む面２３Ａは、第１の点３１と交わる場合に限定されるものではなく、反射面２４と交わるように構成してもよい。
【００１５】
反射面２４は、円弧状に形成されている。より具体的には、反射面２４は、入射面２３から入った光を拡散部２２側に全反射できるように、以下のような条件を満たす曲線として形成される。反射面２４は、入射面２３上の第２の点３２と、反射面２４上の任意の点である第４の点３４とを結ぶ線分と、第４の点３４における反射面２４の法線の成す角βが、導光体１３の屈折率をｎとすると、
【００１６】
【数２】
2015179579.tif 000004
を満たすように形成される。
【００１７】
ここで、全反射とは、光線が屈折率の高い領域から低い領域に向かう際、それらの領域が成す界面において、その界面の法線方向と光線方向の成す角が臨界角以上となるとほぼ１００％反射される物理現象のことを言う。
【００１８】
第１の点３１付近における第１の面２５は、入射面２３から入った光を第２の面２６側に全反射するように、以下のような条件で形成される。すなわち、第１の点３１と第２の点３２とを結ぶ線分と、第１の点３１における第１の面２５の法線の成す角をαとすると、
【数３】
2015179579.tif 000005
である。
【００１９】
ところで、第１の点３１、第２の点３２、第３の点３３からなる三角形に注目する。このような三角形が成立する、つまり、第１の点３１、第２の点３２、第３の点３３が存在するための条件として、第２の点３２と第３の点３３との距離をＤとすると、
【数４】
2015179579.tif 000006
が必要であるということができる。ゆえに、
【００２０】
【数５】
2015179579.tif 000007
である。
【００２１】
ここで、式（２）より、  
【数６】
2015179579.tif 000008
これを式（３）に代入して、
【００２２】
【数７】
2015179579.tif 000009
となる。すなわち、本実施形態では、式（４）を満たすように、第１の点３１付近の第１の面２５の曲率Ｋが設定される。
【００２３】
第１の点３１付近における第１の面２５の曲率Ｋは、より具体的には、以下のように形成される。すなわち、第１の点３１における（第１の点３１の近傍における）第１の面２５の曲率Ｋは、第１の点３１と第２の点３２の距離をＥとすると、
【数８】
2015179579.tif 000010
である。このとき、αは、式（２）を満たすような値で設定される。
【００２４】
式（５）は、図３に示すグラフ中の曲線の実線部分および破線部分のように示される。ここで、式（５）の分子の第２項が−のものが実線に対応し、＋のものが破線に対応する。
式（５）は、余弦定理の公式を変形して得ることができる。図３では、αが４２°の場合、５０°の場合、６０°の場合、のそれぞれについて、式（５）の曲線を示す。
【００２５】
図４に、図３に示す曲線の実線部分の位置関係を模式的に示す。図４に示すように、式（５）の曲線の実線部分では、反射面２４の長さを短くすることができる。このため、導入部２１をコンパクトにすることができる。
【００２６】
図５に、図３に示す曲線の破線部分の位置関係を模式的に示す。図５に示すように、式（５）の曲線の破線部分では、図４に比して反射面２４の長さが長くなる。このため、導入部２１の大きさが大型化する。このため、導光体１３は、式（５）の実線部分の範囲で設計することが好ましい。すなわち、式（５）の分子の第２項が−のものがより好ましい。
【００２７】
図３のグラフ中の曲線（式（５））の実線部分から、
【数９】
2015179579.tif 000011
の範囲で導光体１３を設計すると、反射面２４の長さが短くなり、好ましいことが理解される。Ｋ＝１／Ｒであり、ゆえに、
【００２８】
【数１０】
2015179579.tif 000012
である。
【００２９】
続いて、図１等を参照して、本実施形態の照明装置１１の作用について説明する。本実施形態では、反射面２４上の任意の点（第４の点）において式（１）を満たすように反射面２４が形成されている。このため、光源１２（ＬＥＤ１６）から反射面２４に向けて発せられた光は、全反射されて拡散部２２に向けて導光される。
【００３０】
同様に、本実施形態では、第１の点３１付近における第１の面２５は、式（２）、式（４）、式（５）、式（６）を満たすように形成される。このため、光源１２（ＬＥＤ１６）から第１の点３１付近の第１の面２５（或いは、第１の点３１）に発せられた光は、全反射されて拡散部２２に向けて導光される。
【００３１】
拡散部２２に導光された光は、拡散面である第２の面２６で拡散され、第１の面２５を介して外部に射出される。
【００３２】
第１実施形態によれば、光を導光する導光体１３は、入射面２３と、入射面２３に対向する反射面２４と、を有する導入部２１と、反射面２４側に設けられた第１の面２５と、入射面２３側に設けられ第１の面２５と対向する第２の面２６と、を有する拡散部２２と、反射面２４と第１の面２５との境界に位置した第１の点３１と、入射面２３上の第２の点３２と、を備え、第１の点３１における第１の面２５の曲率中心を第３の点３３とし、導光体１３の屈折率をｎとし、第１の面２５の曲率をＫとし、第２の点３２と第３の点３３との距離をＤとすると、式（４）を満たす。
【００３３】
この構成によれば、第１の点３１、第２の点３２、第３の点３３からなる三角形が成立し、且つ、式（４）の条件から、第２の点３２から入射された光源１２からの光が第１の点３１において全反射される。このため、導光体１３の第１の点３１において、光源１２からの光が外部に漏れだすことがなく、第１の点３１において輝度ムラを生じてしまうことを防止することができる。すなわち、意図された位置で導光体１３の内部から外部に光を出すことができ、例えば、導入部２１を通る光が拡散されないまま、第１の点３１から外部に出てしまうことを防止できる。通常このように第１の点３１において輝度ムラを生じたり、第１の点３１から漏れる光をユーザがまぶしいと感じたりする場合には、品質向上のために第１の点３１の位置にカバーを設けて、目隠しを行う必要あった。上記構成によれば、このようなカバーを不要とすることができ、構造をシンプルにすることができる。
【００３４】
入射面を含む面２３Ａは、反射面２４および第１の点３１のいずれかと交わる。この構成によれば、入射面２３から入った光を反射面２４または第１の点３１で反射させることができる。これによって、例えば、入射面２３から入った光が直接に拡散部２２に照射され、拡散されない状態で意図せず外部に射出されてしまう不具合を生ずることを防止できる。
【００３５】
また、第１の点３１と第２の点３２の距離をＥとし、第１の点３１と第２の点３２の成す線分と、第１の点３１における第１の面２５に対する法線とのなす角をαとすると、式（５）を満たす。この構成によれば、第１の点３１と第２の点３２の距離Ｅおよび第２の点３２と第３の点３３との距離Ｄとの関係で、第１の点３１における第１の面２５の曲率をより具体的に定めることができる。これによって、設計時の作業者の負担を低減することができる。
【００３６】
この場合、式（６）を満たす。この構成によれば、図３に示す式（５）のグラフから明らかなように、第１の点３１と第２の点３２の距離Ｅを短くすることができる。これによって、導入部２１（反射面２４）の長さを短くすることができ、導光体１３をコンパクトにすることができる。これによって、薄型の照明装置１１を実現することができる。
【００３７】
本実施形態では、反射面２４における点を第４の点３４とすると、第２の点３２と第４の点３４の成す線分と、第４の点３４における第１の面２５に対する法線との成す角βが、式（１）を満たす。この構成によれば、第２の点３２から第１の点３１に照射される光だけでなく、第２の点３２から反射面２４に向けて照射される光についても、反射面２４において拡散部２２側へ全反射させることができる。これによって、反射面２４から外部に光が漏れ出してしまうことを防止して、高効率の導光体１３およびそれを用いた照明装置１１を実現することができる。
【００３８】
さらに本実施形態では、入射面を含む面２３Ａは、第１の点３１と交わる。この構成によれば、入射面を含む面２３Ａが反射面２４と交わる場合と比して、反射面２４（導入部２１）をコンパクトに実現することができる。
【００３９】
本実施形態の照明装置１１は、導光体１３と、入射面２３に対向して設けられ、入射面２３に沿って延びる板状をなしたＬＥＤ１６と、を備え、第２の点３２は、ＬＥＤ１６の拡散部２２側の端部の近傍に位置する。この構成によれば、第２の点３２よりも拡散部２２から遠い位置で入射面２３を通って第１の点３１に向かうＬＥＤ１６からの光の入射角度を臨界角以上にすることができる。同様に、第２の点３２よりも拡散部２２から遠い位置で入射面２３を通って反射面２４に向かうＬＥＤ１６からの光の入射角度を臨界角以上にすることができる。これらにより、入射面２３から入った光が意図しない位置で外部に漏れだすことがなく、高効率（器具効率の高い）の照明装置１１を実現することができる。
【００４０】
[第２実施形態]
続いて、図６を参照して、照明装置１１の第２実施形態について説明する。以下は、主として第１実施形態と異なる部分について説明し、第１実施形態と共通する部分については図示または説明を省略する。第２実施形態の照明装置１１は、紐３６等で天井３５に吊り下げられた状態で使用される。
【００４１】
図６に示すように、照明装置１１は、光源１２と、光源１２からの光が内部に通される導光体１３と、光源１２に電力を供給する電源回路基板１４と、を備えている。
【００４２】
光源１２は、複数の基板１５（プリント配線板）と、複数の基板１５のそれぞれに設置された複数のＬＥＤ１６（発光素子）と、を有する。複数のＬＥＤ１６は、照明装置１１の中心軸Ｃを中心とした一つの円上に例えば一定の間隔をおいて配置されている。ＬＥＤ１６と導光体１３の入射面２３との間には、若干の隙間（例えば、０．５ｍｍ程度）が設けられている。ＬＥＤ１６は板状をなしており、拡散部２２側の第１端部１６Ａと、第１端部１６Ａとは反対側にある第２端部１６Ｂと、を有している。本実施形態では、複数のＬＥＤ１６は、天井３５から遠ざかるにつれて、中心軸Ｃに近づく方向に斜めに光を発する。
【００４３】
導光体１３は、略円盤状をなしており、その中央に中心軸Ｃに沿って延びる貫通孔部４１を有している。本実施形態では、中央に貫通孔部４１を設けることによって光源１２（ＬＥＤ１６）の自然空冷が行われ、光源１２の放熱性が良好となっている。
【００４４】
導光体１３は、光源１２から光が入射される導入部２１と、導入部２１と接続される拡散部２２と、を有している。導入部２１および拡散部２２を含む導光体１３は、例えばアクリル等の透明な材料によって一体的に成形されている。拡散部２２は、扁平なリング状をなしており、導入部２１よりも中心軸Ｃから遠い位置に配置される。導入部２１は、中心軸Ｃ寄りの位置（中心軸Ｃの近傍の位置）に設けられており、拡散部２２の内側から天井３５に近づく方向に突出している。言い換えると、導入部２１は、中心軸Ｃに近づくにつれて天井３５に近づくように、拡散部２２に対して斜めになっている。
【００４５】
図６に示すように、導入部２１は、光源１２（ＬＥＤ１６）と対向する入射面２３と、入射面２３と接続されるとともに入射面２３と対向する反射面２４と、を有している。同様に、拡散部２２は、反射面２４側に位置した第１の面２５と、第１の面２５と対向するとともに入射面２３側に位置した第２の面２６と、を有する。第１の面２５は、光を外界に射出するためのいわゆる射出面である。第２の面２６は、導入部２１側から導光された光を射出面（第１の面２５）に向けて拡散的に反射するいわゆる拡散面である。第２の面２６には、例えばサンドブラスト等によって表面粗さを粗くするように表面処理が施される。
【００４６】
導光体１３は、反射面２４と第１の面２５との境界に位置した第１の点３１と、入射面２３上で光源１２（ＬＥＤ１６）と対向した箇所に位置した第２の点３２と、を有する。第２の点３２は、第１端部１６Ａの近傍に位置している。照明装置１１は、さらに、第１の点３１における（第１の点３１の近傍における）第１の面２５の曲率中心としての第３の点３３を有する。
【００４７】
導入部２１の入射面２３は、ＬＥＤ１６（発光素子）の表面に沿うように、平滑に形成されている。反射面２４は、円弧状に形成されている。より具体的には、反射面２４は、第１実施形態と同様に、入射面２３から入った光を拡散部２２側に全反射できるように、第１実施形態の式（１）を満たすように形成される。
【００４８】
第１の点３１付近における第１の面２５は、第１実施形態と同様に、入射面２３から入った光を第２の面２６側に全反射するように、第１実施形態の式（２）、式（４）、式（５）、式（６）を満たすように形成される。このため、導光体１３は、複数のＬＥＤ１６からの光を中心軸Ｃから遠ざかる方向に導光することができる。
【００４９】
続いて、図６等を参照して、本実施形態の照明装置１１の作用について説明する。本実施形態では、反射面２４上の任意の点（第４の点）において式（１）を満たすように反射面２４が形成されている。このため、光源１２（ＬＥＤ１６）から反射面２４に向けて発せられた光は、全反射されて拡散部２２に向けて導光される（図１参照）。
【００５０】
同様に、本実施形態では、第１の点３１付近における第１の面２５は、式（２）、式（４）、式（５）、式（６）を満たすように形成される。このため、光源１２（ＬＥＤ１６）から第１の点３１付近の第１の面２５（或いは、第１の点３１）に発せられた光は、全反射されて拡散部２２に向けて導光される。
【００５１】
拡散部２２に導光された光は、拡散面である第２の面２６で拡散され、第１の面２５を介して外部に射出される。
【００５２】
第２実施形態によれば、導光体１３は、中心軸Ｃに沿って延びる貫通孔部４１を有する。この構成によれば、貫通孔部４１を介して周辺の空気が移動できるため、光源１２の放熱性を向上することができる。
【００５３】
導入部２１は、中心軸Ｃ寄りに配置され、拡散部２２は、導入部２１よりも中心軸Ｃから遠い位置に配置される。この構成によれば、導入部２１の入射面２３に対向する複数のＬＥＤ１６を中心軸Ｃの近傍に集約的に配置することができる。このため、複数のＬＥＤ１６から発生した熱は、貫通孔部４１を介して効率的に外部に放出されるとともに、複数のＬＥＤ１６に電力を供給する配線等を短くすることができる。
【００５４】
複数のＬＥＤ１６は、中心軸Ｃに近づく方向に光を発し、導光体１３は、複数のＬＥＤ１６からの光を中心軸Ｃから遠ざかる方向に導光する。この構成によれば、複数のＬＥＤ１６の光の発せられる方向と導光体１３の作用とによって、広配光とデザイン照明として付加価値の向上の両方を実現できる。
なお、本実施形態では、導光体１３を略円盤状としているが、導光体１３の形状はこれに限られるものではない。押出成形によって図２に示すような形状に形成された２個の導光体１３を、図６に示すように導入部２１同士が対向した位置関係で対向させて、照明装置１１を実現してもよい。この変形例の場合、複数のＬＥＤ１６は、例えば、同一直線上に一定の間隔を置いて配置される。
【００５５】
[第３実施形態]
続いて、図７を参照して、照明装置の第３実施形態について説明する。以下は、主として第１実施形態と異なる部分について説明し、第１実施形態と共通する部分については図示または説明を省略する。第３実施形態の照明装置１１は、紐３６等で天井に吊り下げられた状態で使用される。
【００５６】
図７に示すように、照明装置１１は、光源１２と、光源１２からの光が内部に通される導光体１３と、光源１２に電力を供給する電源回路基板１４と、を備えている。
【００５７】
光源１２は、複数の基板１５（プリント配線板）と、複数の基板１５のそれぞれに設置された複数のＬＥＤ１６（発光素子）と、を有する。複数のＬＥＤ１６は、照明装置１１の中心軸Ｃを中心とした一つの円上に例えば一定の間隔をおいて配置されている。ＬＥＤ１６と導光体１３の入射面２３との間には、若干の隙間（例えば、０．５ｍｍ程度）が設けられている。ＬＥＤ１６は板状をなしており、拡散部２２側の第１端部１６Ａと、第１端部１６Ａとは反対側にある第２端部１６Ｂと、を有している。本実施形態では、複数のＬＥＤ１６は、天井３５から遠ざかるにつれて、中心軸Ｃから遠ざかる方向に斜めに光を発する。
【００５８】
導光体１３は、外縁部が立ち上がった皿状をなしている。導光体１３は、光源１２から光が入射される導入部２１と、導入部２１と接続される拡散部２２と、を有している。導入部２１および拡散部２２を含む導光体１３は、例えばアクリル等の透明な材料によって一体的に成形されている。拡散部２２は、中心軸Ｃが通る部分およびその近傍に設けられており、円盤状をなしている。導入部２１は、拡散部２２よりも中心軸Ｃから遠い位置（外縁部）に設けられており、拡散部２２の外側から天井３５に近づく方向に突出している。言い換えると、導入部２１は、中心軸Ｃから遠ざかるにつれて天井３５に近づくように、拡散部２２に対して斜めになっている。
【００５９】
図７に示すように、導入部２１は、光源１２（ＬＥＤ１６）と対向する入射面２３と、入射面２３と接続されるとともに入射面２３と対向する反射面２４と、を有している。同様に、拡散部２２は、反射面２４側に位置した第１の面２５と、第１の面２５と対向するとともに入射面２３側に位置した第２の面２６と、を有する。第１の面２５は、光を外界に射出するためのいわゆる射出面である。第２の面２６は、導入部２１側から導光された光を射出面（第１の面２５）に向けて拡散的に反射するいわゆる拡散面である。第２の面２６には、例えばサンドブラスト等によって表面粗さを粗くするように表面処理が施される。
【００６０】
導光体１３は、反射面２４と第１の面２５との境界に位置した第１の点３１と、入射面２３上で光源１２（ＬＥＤ１６）と対向した箇所に位置した第２の点３２と、を有する。第２の点３２は、第１端部１６Ａの近傍に位置している。照明装置１１は、さらに、第１の点３１における（第１の点３１の近傍における）第１の面２５の曲率中心としての第３の点３３を有する。
【００６１】
導入部２１の入射面２３は、ＬＥＤ１６（発光素子）の表面に沿うように、平滑に形成されている。反射面２４は、円弧状に形成されている。より具体的には、反射面２４は、第１実施形態と同様に、入射面２３から入った光を拡散部２２側に全反射できるように、第１実施形態の式（１）を満たすように形成される。
【００６２】
第１の点３１付近における第１の面２５は、第１実施形態と同様に、入射面２３から入った光を第２の面２６側に全反射するように、第１実施形態の式（２）、式（４）、式（５）、式（６）を満たすように形成される。このため、導光体１３は、複数のＬＥＤ１６からの光を中心軸Ｃに近づく方向に導光することができる。
【００６３】
続いて、図７等を参照して、本実施形態の照明装置１１の作用について説明する。本実施形態では、反射面２４上の任意の点（第４の点３４）において式（１）を満たすように反射面２４が形成されている。このため、光源１２（ＬＥＤ１６）から反射面２４に向けて発せられた光は、全反射されて拡散部２２に向けて導光される（図１参照）。
【００６４】
同様に、本実施形態では、第１の点３１付近における第１の面２５は、式（２）、式（４）、式（５）、式（６）を満たすように形成される。このため、光源１２（ＬＥＤ１６）から第１の点３１付近の第１の面２５（或いは、第１の点３１）に発せられた光は、全反射されて拡散部２２に向けて導光される。
【００６５】
拡散部２２に導光された光は、拡散面である第２の面２６で拡散され、第１の面２５を介して外部に射出される。
【００６６】
第３実施形態によれば、拡散部２２は、中心軸Ｃ寄りに配置され、導入部２１は、拡散部２２よりも中心軸Ｃから遠い位置に配置される。この構成によれば、導入部２１の入射面２３に対向して熱源となる複数のＬＥＤ１６を導光体１３の外縁側に配置することができる。これによって、外界に対してＬＥＤ１６の熱を放出しやすい照明装置１１を実現することができる。
【００６７】
複数のＬＥＤ１６は、中心軸Ｃから遠ざかる方向に光を発し、導光体１３は、複数のＬＥＤ１６からの光を中心軸Ｃに近づく方向に導光する。この構成によれば、複数のＬＥＤ１６の光の発せられる方向と導光体１３の作用とによって、広配光とデザイン照明として付加価値の向上の両方を実現できる。
なお、本実施形態では、導光体１３を皿状としているが、導光体１３の形状はこれに限られるものではない。押出成形によって図８に示すような形状に形成された導光体１３を用いて照明装置１１を実現してもよい。この変形例の場合、複数のＬＥＤ１６は、例えば、同一直線上に一定の間隔を置いて配置されている。
【００６８】
[第４実施形態]
続いて、図９を参照して、照明装置１１の第４実施形態について説明する。以下は、主として第１実施形態と異なる部分について説明し、第１実施形態と共通する部分については図示または説明を省略する。第４実施形態の照明装置１１は、いわゆる電球型のランプであり、ソケットに装着されて使用される。
【００６９】
図９に示すように、照明装置１１は、光源１２と、光源１２からの光が内部に通される導光体１３と、導光体１３の内側に収納され、光源１２に電力を供給する電源回路基板１４と、これらが直接的又は間接的に固定される口金５１と、を備えている。口金５１は、導光体１３の反射面２４に対向して設けられている。電源回路基板１４は、一般的なもので構成されているが、整流回路や、電源ＯＮとＯＦＦを切り替えるための通信回路等を含んでいてもよい。
【００７０】
照明装置１１は、導光体１３の内部に、放熱用の伝熱部５２を有する。伝熱部５２は、例えばアルミニウム合金等の金属材料によって球形に形成されている。伝熱部５２は、口金５１およびＬＥＤ１６と熱的に接続されており、ＬＥＤ１６で発生した熱を周囲にある空気および導光体１３を介して外界に向けて放出できる。
【００７１】
伝熱部５２の外周面は、例えば、白色に塗装されているが、他の色（青、黄、緑、赤、ピンク、オレンジ、黒、その他の色）で塗装されてもよいし、塗装を省略して、アルミニウム合金自体の色を露出させてもよい。伝熱部５２の外周面の塗装に用いる塗料は、様々な塗料を用いることができ、温度によって色が変化する塗料であってもよいし、照明装置１１を消灯した際に暗闇中で光る塗料（蓄光性のある塗料）でもよい。
【００７２】
伝熱部５２は、さらに、表面に塗装して形成した表示面５３（表示部）を有している。この表示面５３には、例えば、企業の商標やロゴ、商品名、型式番号、「熱い」等の注意書きや、商品の説明文等を表示することができる。なお、導光体１３は、透明であるため、伝熱部５２の外周面の塗装および表示面５３は、ユーザが外界から視認することができる。一方、照明装置１１を点灯させた状態では、導光体１３が発光するため、その内部にある伝熱部５２の外周面の塗装および表示面５３は、外界から視認することができなくなる。
【００７３】
光源１２は、複数の基板１５（プリント配線板）と、複数の基板１５のそれぞれに設置された複数のＬＥＤ１６（発光素子）と、を有する。複数のＬＥＤ１６は、照明装置１１の中心軸Ｃを中心とした一つの円上に一定の間隔を置いて配置されている。ＬＥＤ１６と導光体１３の入射面２３との間には、若干の隙間（０．５ｍｍ程度）が設けられている。ＬＥＤ１６は板状をなしており、拡散部２２側の第１端部１６Ａと、第１端部１６Ａとは反対側にある第２端部１６Ｂと、を有している。複数のＬＥＤ１６は、口金５１のある方向（口金５１の突出する方向Ｃ１）に光を発することができる。
【００７４】
導光体１３は、略球状をなしている。導光体１３は、光源１２から光が入射される導入部２１と、導入部２１と接続される拡散部２２と、を有している。導入部２１および拡散部２２を含む導光体１３は、例えばアクリル等の透明な材料によって一体的に成形されている。拡散部２２は、口金５１の突出する方向Ｃ１とは反対の方向Ｃ２に突出した略球状をなしている。導光体１３は、複数のＬＥＤ１６からの光を口金５１から遠ざかる方向（反対の方向Ｃ２）に導光することができる。
【００７５】
図９に示すように、導入部２１は、光源１２（ＬＥＤ１６）と対向する入射面２３と、入射面２３と接続されるとともに入射面２３と対向する反射面２４と、を有している。本実施形態では、入射面２３は、球形の導光体１３の内面側に設けられ、反射面２４は導光体１３の外面側に設けられる。
【００７６】
同様に、拡散部２２は、反射面２４側に位置した第１の面２５と、第１の面２５と対向するとともに入射面２３側に位置した第２の面２６と、を有する。第１の面２５は、光を外界に射出するためのいわゆる射出面であり、導光体１３の外面側に設けられる。第２の面２６は、導入部２１側から導光された光を射出面（第１の面２５）に向けて拡散的に反射するいわゆる拡散面であり、導光体１３の内面側に設けられる。第２の面２６には、例えばサンドブラスト等によって表面粗さを粗くするように表面処理が施される。
【００７７】
導光体１３は、反射面２４と第１の面２５との境界に位置した第１の点３１と、入射面２３上で光源（ＬＥＤ）と対向した箇所に位置した第２の点３２と、を有する。第２の点３２は、第１端部１６Ａの近傍に位置している。照明装置１１は、さらに、第１の点３１における（第１の点３１の近傍における）第１の面２５の曲率中心としての第３の点３３を有する。
【００７８】
導入部２１の入射面２３は、ＬＥＤ１６（発光素子）の表面に沿うように、平滑に形成されている。反射面２４は、円弧状に形成されている。より具体的には、反射面２４は、第１実施形態と同様に、入射面２３から入った光を拡散部２２側に全反射できるように、第１実施形態の式（１）を満たすように形成される。
【００７９】
第１の点３１付近における第１の面２５は、第１実施形態と同様に、入射面２３から入った光を第２の面２６側に全反射するように、第１実施形態の式（２）、式（４）、式（５）、式（６）を満たすように形成される。
【００８０】
続いて、図８等を参照して、本実施形態の照明装置１１の作用について説明する。本実施形態では、反射面２４上の任意の点（第４の点３４）において式（１）を満たすように反射面２４が形成されている。このため、光源１２（ＬＥＤ１６）から反射面２４に向けて発せられた光は、全反射されて拡散部２２に向けて導光される（図１参照）。
【００８１】
同様に、本実施形態では、第１の点３１付近における第１の面２５は、式（２）、式（４）、式（５）、式（６）を満たすように形成される。このため、光源１２（ＬＥＤ１６）から第１の点３１付近の第１の面２５（或いは、第１の点３１）に発せられた光は、全反射されて拡散部２２に向けて導光される。
【００８２】
拡散部２２に導光された光は、拡散面である第２の面２６で拡散され、第１の面２５を介して外部に射出される。本実施形態では、ＬＥＤ１６から口金５１のある方向に光が発せられ、その光は導光体１３によって口金５１が突出する方向Ｃ１とは反対方向Ｃ２に導光されるため、広配光が実現される。
【００８３】
第４実施形態によれば、照明装置１１は、反射面２４に対向して設けられる口金５１を備え、複数のＬＥＤ１６は、口金５１のある方向に光を発し、導光体１３は、複数のＬＥＤ１６からの光を口金５１から遠ざかる方向に導光する。この構成によれば、複数のＬＥＤ１６の光の発する方向と導光体１３の作用とによって、口金５１の方向に発せられる光の成分を作り出すことができ、３６０°の広配光を実現することができる。同様に、複数のＬＥＤ１６の光の発せられる方向と導光体１３の作用とによって、デザイン照明として付加価値の向上を実現できる。
【００８４】
なお、上記した各実施形態では、第１の面２５を射出面とし、第２の面２６を拡散面として照明装置１１を実現しているが、この組み合わせに限定されるものではない。例えば、射出面としての第１の面２５の構成と、拡散面としての第２の面２６の構成とを入れ替えて照明装置１１を実施してもよい。或いは、第１の面２５に対してサンドブラストを行ったり、シルク印刷による白色ドットを形成したりして、第１の面２５および第２の面２６の両方をいわゆる拡散面として、照明装置１１を実現してもよい。
【００８５】
以下に、上記実施形態に記載された他の発明を付記する。
[１]
前記導光体の内部に収納されるとともに、表面に情報を記載した表示面を有する伝熱部を備える照明装置。
【００８６】
この構成によれば、伝熱部５２に情報を表示することができる。このため、照明装置１１を点灯させない状態でユーザに各種の情報（企業情報、商品情報、注意書き等）を伝達することができる。また、照明装置１１を点灯させた状態では、導光体１３が発光して内部にある伝熱部５２および表示面５３が見えなくなるため、照明の品質に影響を及ぼすこともない。
[２]
前記導光体の内部に収納されるとともに、表面に所定の塗料（温度によって色が変化する塗料、蓄光性のある塗料）が塗布された伝熱部を備える照明装置。
【００８７】
この構成によれば、照明装置１１を消灯した際にも伝熱部５２の部分を光らせたり、伝熱部５２の温度によってユーザに表示する情報を変化させたりすることができる。
【００８８】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８９】
１１…照明装置、１２…光源、１３…導光体、１６…ＬＥＤ、１６Ａ…第１端部、２１…導入部、２２…拡散部、２３…入射面、２３Ａ…入射面を含む面、２４…反射面、２５…第１の面、２６…第２の面、３１…第１の点、３２…第２の点、３３…第３の点、４１…貫通孔部、５１…口金。
【図１】
2015179579.tif 000018
【図２】
2015179579.tif 000019
【図３】
2015179579.tif 000020
【図４】
2015179579.tif 000021
【図５】
2015179579.tif 000022
【図６】
2015179579.tif 000023
【図７】
2015179579.tif 000024
【図９】
2015179579.tif 000025
【図８】
2015179579.tif 000026